(57)【要約】【課題】      太陽電池を用いることで電力コストや配電設備を不要にし、さらに発光体からの光を広範囲に乱反射させることで、より高い発光輝度を得ることができる案内・表示装置を提供すること。【解決手段】  本発明の案内・表示装置は、函体内に収容された太陽電池装置と、前記太陽電池装置により発光する光学媒体とからなる発光体と、函体内に配設された乱反射鏡と、を備えることを特徴とする。また前記乱反射鏡は、函体内に対向する状態に、且つ傾斜状に配設されている。【選択図】図１
2008304876.tif 000002
【特許請求の範囲】
【請求項１】
函体内に収容された太陽電池装置と、前記太陽電池装置により発光する光学媒体とからなる発光体と、函体内に配設された乱反射鏡と、を備えることを特徴とする案内・表示装置。
【請求項２】
前記乱反射鏡は、函体内に対向する状態に配設されている請求項１記載の案内・表示装置。
【請求項３】
前記乱反射鏡を傾斜状に角度を付けて配設した請求項１または２記載の案内・表示装置。
【請求項４】
太陽電池装置は、ソーラーパネル、充電器、および光センサーにて形成される請求項１乃至３のうちいずれか１項に記載の案内・表示装置。
【請求項５】
前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる請求項１乃至４のうちいずれか１項に記載の案内・表示装置。
【請求項６】
前記案内・表示装置は誘導用案内装置である請求項１乃至５のうちいずれか１項に記載の案内・表示装置。
【請求項７】
前記案内・表示装置は掲示物表示装置である請求項１乃至５のうちいずれか１項に記載の案内・表示装置。
【請求項８】
前記案内・表示装置は時刻表装置である請求項１乃至５のうちいずれか１項に記載の案内・表示装置。
【発明の詳細な説明】
【技術分野】
【０００１】  本発明は、誘導用案内装置、掲示物表示装置、バスの時刻表装置等からなる案内・表示装置であって、特に、配電設備や電源コストを不要にし、夜間において高輝度に表示物を照らし出すことができる案内・表示装置に関する。
【背景技術】
【０００２】  従来、夜間に工事現場等の危険区域において注意を換起し又は所定の方向を指示する保安用標示板がある（例えば、特許文献１参照）。
上掲特許文献１には、道路工事や保安作業時に所定の事項を遠くからも視認できるよう明るく標示した保安用標示板において、一対の平板状の本体に適宜間隔をあけて挿入孔を開口し、該挿入孔に電灯球を挿入し、前後両側より点灯を視認できるようにした保安用標示板が開示されている。
【特許文献１】特開平１１−３３９１３６号公報（第１−２頁、図１）
【発明の開示】
【発明が解決しようとする課題】
【０００３】  しかしながら、上掲特許文献１の保安用標示板は、電灯球を点灯させる際、配線・配電・充電式のバッテリーを使用するため、充電作業が面倒であると共に、非常に不経済であった。また、電灯球からの光は一方向に照射されるため、広い範囲に高輝度に照らし出すことはできなかった。【０００４】  そこで本発明は上記の点に鑑み、太陽電池を用いることで電力コストや配電設備を不要にし、さらに発光体からの光を広範囲に乱反射させることで、より高い発光輝度を得ることができる案内・表示装置を提供することにある。
【課題を解決するための手段】
【０００５】  上記問題を解決するために本発明の案内・表示装置は、函体内に収容された太陽電池装置と、前記太陽電池装置により発光する光学媒体とからなる発光体と、函体内に配設された乱反射鏡と、を備えることを特徴とする。また前記乱反射鏡は、函体内に対向する状態に配設されている。また前記乱反射鏡を傾斜状に角度を付けて配設した。また太陽電池装置は、ソーラーパネル、充電器、および光センサーにて形成される。さらに前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる。さらに前記案内・表示装置は誘導用案内装置、掲示物表示装置、時刻表装置からなる。
【発明の効果】
【０００６】  太陽電池装置より発光体が発光するため、電気コストや配電設備を不要とし経済的に優れる。また函体内に乱反射鏡を備えることで、発光体からの光を広範囲に乱反射させ、より高い発光輝度を得ることができる。
【発明を実施するための最良の形態】
【０００７】  以下、本発明における案内・表示装置の実施の形態を図面に基づき説明する。
図１に示す案内・表示装置１は、歩道や街路の分岐点に設置される誘導用案内装置Ａであり、夜間に高輝度に発光するため、進行方向を明確に標示することができる。また特に、前記誘導用案内装置Ａは、夜間に災害が発生した際、避難所等への誘導が明確になるため、人命救助における優れた効果を発揮する。【０００８】  前記誘導用案内装置Ａは、函体２内に収容された太陽電池装置２０と、前記太陽電池装置２０により発光する光学媒体とからなる発光体１０と、函体２内に配設された乱反射鏡３とを備えることを特徴とする。【０００９】  函体２は加工や耐久性に優れた乳白色の硬質プラスチック等からなり、前面には進行方向を示す矢印からなる表示部４が表示されている。また函体２の上部には、太陽電池装置２０を保護する、ガラスや硬質プラスチックからなる透光性カバー５が設置されている。【００１０】  太陽電池装置２０は、ソーラーパネル２１、充電器２２、光センサー２３にて形成される。ソーラーパネル２１は太陽エネルギーを電気エネルギーに変換するもので、函体２の上面に配設されている。また充電器２２には、ソーラーパネル２１にて起電される電力を蓄える充電池（図示せず）が収容されている。また光センサー２３は、周囲が暗くなった場合、光量の変化を感知して充電器の電力により発光体１０を発光させ、周囲が明るくなったらその送電を自動的に停止させる働きを有する。なお前記ソーラーパネル２１、充電器２２、光センサー２３の構造は上述に限定されたものではなく、それぞれをコードで連結させたり、また配置を移動させたりしてもよいことは言うまでもない。【００１１】  乱反射鏡３は、基材の表面にアルミを塗布、または蒸着することにより形成され、表面には凹凸加工が施されている。前記乱反射鏡３を函体２内に具備することで、発光体１０から照射される光を広範囲に乱反射させ、より高い発光輝度を得ることができる。【００１２】  また、前記乱反射鏡３を函体２内に対向する状態に配設させることが好ましい。前記乱反射鏡３を函体２内の上面、および函体２内の下面に対向する状態に配設することで、発光体１０から照射される光は、函体２内でより効率よく、且つ広範囲に乱反射させることができ、函体２の発光輝度を一層高めることができる。【００１３】  また特に、前記乱反射鏡３は傾斜状に角度を付けて配設されている。前記乱反射鏡３を表示部４側に傾斜するように配設することで、図１の（ｃ）に示すように、発光体１０から照射される光は、表示部４側に集中して集められる。そのことにより、最も輝度を必要とする個所への照射が実現できる。また図３に示す掲示物表示装置Ｂにおいては、前記乱反射鏡３は照らし出す掲示物ｂの方向へ傾斜する状態に配設される。【００１４】  また前記函体２に防水加工を施すことが好ましい。防水加工に使用される防水剤としては、ゴム類、ウレタン樹脂やアクリル樹脂等の樹脂類、パラフィン蝋等が使用される。かかる防水剤を函体２の表面に加工することで、雨水や湿気から函体２内の太陽電池装置２０を保護することができる。また他の防水加工の方法としては、強化プラスチックやガラスで函体２全体を被覆してもよい。【００１５】  発光体１０は、光源から前面に放射される光を��束してスポット状に照射することができる光学媒体１１とからなる。また両面発光構造の半導体発光素子を用いた場合において、裏面側への発光成分を含めて、すべての迷光成分が、有効に照明に寄与出来るようにすることを可能とし、特に、その数を多数必要とすることなく、所望の照度をえることが可能な発光体である。なお、前記発光体１０は、函体２の上方に複数設置されている。【００１６】  また発光体１０は、小型化・低価格化が期待できると共に、スポット照射のみならず拡散にも適用できる。また、長寿命、低消費電力、ノイズレス、紫外線を出さない、光のちらつき（フリッカー）がない、光強度調節が容易、低温光源、安定性が高い、変調が容易、スイッチング特性が優位、フルカラー対応、指向性が高い、光変換効率が格段に高い等数多くのメリットを有している。【００１７】  また前記発光体１０は、図２の（ａ）に示すように、発光面となる前面と、前面に対向した後面と、前面と後面とを接続する光伝送部と、後面の一部から前面方向に沿って光伝送部の内部に形成された凹部とを少なくとも有する光学媒体（バルクレンズ）１１と、凹部に収納された半導体発光素子１２と、光学媒体１１の後面に配置された背面鏡１３とからなる。また背面鏡１３は、光学媒体１１の側面の一部にまで延長されて形成されている。なお、この発光体は、特許第３３００７７８号公報に開示された公知の技術である。【００１８】  また図４の（ｂ）は、前記発光体１０の対応する断面図であり、１４はＬＥＤホルダー、１５はチップ、１６は樹脂モールド、１７は第１のピン、１８は第２のピン、１９は屈折率をそれぞれ示す。【００１９】  次に、本発明の案内・表示装置の使用方法を図３および図４に基づいて説明する。
図３の（ａ）（ｂ）は、公共施設、警察、消防署等に設置されている掲示物表示装置Ｂである。該掲示物表示装置Ｂの函体２の上部には太陽電池装置２０が設置されており、内部上部には複数の発光体１０が備えられている。また函体２の上部および下部には、乱反射鏡３が対向する状態で設置されている。また特に、前記乱反射鏡３は照らし出す掲示物ｂの方向へ傾斜する状態に配設される。そのことにより、夜間に発光体１０が照射することで、内部に表示されている掲示物ｂを明るく照らし出すことができる。また掲示物表示装置Ｂ全体が発光するため、夜間に発生する犯罪や事故を軽減することもできる。【００２０】  図４の（ａ）（ｂ）は、バスの停留所に設置されている、バス時刻表を表示した時刻表装置Ｃである。該時刻表装置Ｃの函体２の上部には太陽電池装置２０が設置されており、内部上部には複数の発光体１０が備えられている。また函体２の上部および下部には、乱反射鏡３が対向する状態で設置されている。また特に、前記乱反射鏡３は照らし出す時刻表ｃの方向へ傾斜する状態に配設される。そのことにより、夜間に発光体１０が照射することで、函体２内部が高輝度に発光し、表面に表示されている時刻表ｃを明るく照らし出すことができる。また時刻表装置Ｃ全体が発光するため、夜間走行中のバス運転手にも容易に視認することができ、事故の発生を軽減できると共に、時刻表装置Ｃの周囲が明るくなり夜間に発生する犯罪も軽減できる。【００２１】  上述の構成により、本発明の案内・表示装置１は、太陽電池装置２０より発光体１０が発光するため、電力コストや配電設を不要とし経済的に優れる。また、夜間に発生する事故や犯罪を未然に防ぐことができる。また夜間に災害が発生した際、案内・表示装置１全体が高輝度に発光するため、避難所等への誘導が明確になり、さらに周囲が明るく照らし出されるため身柄確保が容易になり、人命救助における優れた効果を発揮する。
【図面の簡単な説明】
【００２２】
【図１】本発明の案内・表示装置である誘導用案内装置の全体図および断面図である。
【図２】（ａ）は発光体を示す模式的な鳥瞰図、（ｂ）は対応する断面図である。
【図３】掲示物表示装置の全体図および断面図である。
【図４】時刻表装置の全体図および断面図である。
【符号の説明】
【００２３】１    案内・表示装置
２    函体
３    乱反射鏡
４    表示部
５    透光性カバー
１０  発光体
１１  光学媒体
１２  半導体発光素子
１３  背面鏡
１４  ＬＥＤホルダー
１５  チップ
１６  樹脂モールド
１７  第１のピン
１８  第２のピン
１９  屈折率
２０  太陽電池装置
２１  ソーラーパネル
２２  充電器
２３  光センサー
Ａ    誘導用案内装置
Ｂ    掲示物表示装置
Ｃ    時刻表装置
ｂ    掲示物
ｃ    時刻表
【図１】
2008304876.tif 000003
【図２】
2008304876.tif 000004
【図３】
2008304876.tif 000005
【図４】
2008304876.tif 000006